(57)【要約】【課題】  見舞人が病院に到着した段階で、或いは病棟に到着した段階で患者がそれを把握できると共に、患者が病室にいない場合は見舞人がそれを把握することが可能なナースコールシステムを提供する。【解決手段】  病院の玄関或いは病棟の入口に見舞人が操作して患者に見舞人が来たことを通知するための見舞受付端末６が設置される一方、制御機４は患者の検査予約情報を記憶する検査予約記憶部４２を有し、見舞受付端末６は、見舞先の患者情報を選択或いは入力する操作部６２と、患者情報を表示するモニタ６１を有し、見舞受付端末ＣＰＵ６５は選択入力されて患者が特定されたら、特定された患者に関連付けられているベッドサイドモニタ５に見舞信号を送信し、特定された見舞先患者の検査予約情報を検査予約記憶部４２から読み取り、当日の予約がある場合はモニタ６１に表示する。【選択図】  図１
2018149077.tif 000002
【特許請求の範囲】
【請求項１】
患者が看護師を呼び出すためにベッド毎に設けられたナースコール子機と、患者の呼出操作を報知するために廊下に設置された廊下灯と、前記ナースコール子機からの呼び出しに看護師が応答するためにナースステーションに設置されたナースコール親機と、前記ナースコール子機と前記ナースコール親機との間の通信を制御する制御機と、ベッド毎に設置されて患者に各種情報を提供するためのベッドサイドモニタとを有するナースコールシステムにおいて、
病院の玄関、病棟の入口の少なくとも一方に、見舞人が操作して患者に見舞人が来たことを通知するための見舞受付端末が設置される一方、
前記制御機は、患者と病室、前記ナースコール子機及び前記ベッドサイドモニタとの関連付けを記憶する患者情報記憶部と、患者の検査予約の場所及び日時情報を記憶する検査予約記憶部を有し、
前記見舞受付端末は、見舞先の患者情報を選択或いは入力する見舞先選択入力部と、患者情報を表示する表示部と、選択入力されて患者が特定されたら、特定された患者に関連付けられている前記ベッドサイドモニタを前記患者情報記憶部から読み取って見舞信号を送信すると共に、特定された見舞先患者の検査予約情報を前記検査予約記憶部から読み取り、当日の予約がある場合は前記表示部に予約されている場所及び時間を表示させる見舞通知制御部とを有することを特徴とするナースコールシステム。
【請求項２】
前記見舞通知制御部は、前記見舞先選択入力部により患者が選択入力されて特定したら、当該患者の病室番号を前記表示部に表示することを特徴とする請求項１記載のナースコールシステム。
【請求項３】
前記見舞通知制御部は、表示対象となる当日の検査予約が有る場合、現在時刻或いはそれ以降の検査予約に関してのみ表示させることを特徴とする請求項１又は２記載のナースコールシステム。
【請求項４】
個々の患者が携行してＩＤ信号を無線発信する発信機と、病院内の適宜位置に設置されて前記ＩＤ信号を受信する複数の受信機とを具備すると共に、
前記制御機は、前記ＩＤ信号とナースコール子機とを関連付けたＩＤテーブル記憶部と、前記受信機の場所情報を記憶する受信機位置記憶部と、前記受信機が受信したＩＤ信号から、前記発信機と前記受信機とを関連付けて記憶する発信機位置記憶部とを有し、
前記見舞通知制御部は、選択入力されて患者が特定されたら、特定された見舞先患者の現在位置情報を前記発信機位置記憶部から入手し、前記表示部に表示させることを特徴とする請求項１乃至３の何れかに記載のナースコールシステム。
【発明の詳細な説明】
【技術分野】
【０００１】
本発明はナースコールシステムに関し、詳しくは入院患者に対して見舞人が来たことを事前に通知できるナースコールシステムに関する。
【背景技術】
【０００２】
見舞先の病室に入る前に、見舞人が患者に対して入室することを通知できるナースコールシステムがある。例えば、特許文献１では、患者からの呼出発生を通知するために病室前に設置された廊下灯に通知ボタンを設け、この通知ボタンを操作することでナースコール子機を鳴動させ、病室に入る前に患者に通知できた。
一方で、患者に対して食事の献立等の患者の望む情報を提供するためのベッドサイドモニタを備えたナースコールシステムがある（例えば、特許文献２参照）。
【先行技術文献】
【特許文献】
【０００３】
【特許文献１】特開２０１０−１０４５１９号公報
【特許文献２】特開２００２−９５７０７号公報
【発明の概要】
【発明が解決しようとする課題】
【０００４】
上記特許文献１に開示されている技術は、操作する場所が病室前であるため、患者が準備する前にドアが開けられてしまう場合が多く、患者のプライバシーを配慮するには至らなかった。また、患者が離床して病室に居ない場合であっても、病室まで来なければそれを認識できなかった。
【０００５】
そこで、本発明はこのような問題点に鑑み、見舞人が病院に到着した段階で、或いは病棟に到着した段階で患者がそれを把握できると共に、患者が病室にいない場合は見舞人がそれを把握することが可能なナースコールシステムを提供することを目的としている。
【課題を解決するための手段】
【０００６】
上記課題を解決する為に、請求項１の発明は、患者が看護師を呼び出すためにベッド毎に設けられたナースコール子機と、患者の呼出操作を報知するために廊下に設置された廊下灯と、ナースコール子機からの呼び出しに看護師が応答するためにナースステーションに設置されたナースコール親機と、ナースコール子機とナースコール親機との間の通信を制御する制御機と、ベッド毎に設置されて患者に各種情報を提供するためのベッドサイドモニタとを有するナースコールシステムにおいて、病院の玄関、病棟の入口の少なくとも一方に、見舞人が操作して患者に見舞人が来たことを通知するための見舞受付端末が設置される一方、制御機は、患者と病室、ナースコール子機及びベッドサイドモニタとの関連付けを記憶する患者情報記憶部と、患者の検査予約の場所及び日時情報を記憶する検査予約記憶部を有し、見舞受付端末は、見舞先の患者情報を選択或いは入力する見舞先選択入力部と、患者情報を表示する表示部と、選択入力されて患者が特定されたら、特定された患者に関連付けられているベッドサイドモニタを患者情報記憶部から読み取って見舞信号を送信すると共に、特定された見舞先患者の検査予約情報を検査予約記憶部から読み取り、当日の予約がある場合は表示部に予約されている場所及び時間を表示させる見舞通知制御部とを有することを特徴とする。
この構成によれば、病院の玄関或いは病棟の入口に設置された見舞受付端末から見舞信号がベッドサイドモニタに送信されるため、見舞先の患者は間もなく見舞人が来ることを把握でき、患者のプライバシーに配慮できる。特に見舞受付端末を病院の入口や、病棟の入口等の病室から比較的遠い位置に設置することで、患者に見舞人が来たことを通知してから、見舞人が病室に到着するまで一定の時間を要するため、患者はその準備ができプライバシーに十分配慮できる。また、見舞先の患者に当日検査予約が入っている場合は見舞人がそれを認識でき、病室まで行かなくても患者の在／不在の把握がし易く利便性が良い。
【０００７】
請求項２の発明は、請求項１に記載の構成において、見舞通知制御部は、見舞先選択入力部により患者が選択入力されて特定したら、当該患者の病室番号を表示部に表示することを特徴とする。
この構成によれば、見舞人は、患者の病室を知ることができるので、病院の関係者に聞くことなくスムーズに患者の元へ行くことができる。
【０００８】
請求項３の発明は、請求項１又は２に記載の構成において、見舞通知制御部は、表示対象となる当日の検査予約が有る場合、現在時刻或いはそれ以降の検査予約に関してのみ表示させることを特徴とする。
この構成によれば、当日の検査予約であっても、現在或いはこれからの検査予約のみを表示し、済んだ内容は表示しないため、見舞人は過去の内容を見て間違った判断をするようなこことがない。
【０００９】
請求項４の発明は、請求項１乃至３の何れかの構成において、個々の患者が携行してＩＤ信号を無線発信する発信機と、病院内の適宜位置に設置されてＩＤ信号を受信する複数の受信機とを具備すると共に、制御機は、ＩＤ信号とナースコール子機とを関連付けたＩＤテーブル記憶部と、受信機の場所情報を記憶する受信機位置記憶部と、受信機が受信したＩＤ信号から、発信機と受信機とを関連付けて記憶する発信機位置記憶部とを有し、見舞通知制御部は、選択入力されて患者が特定されたら、特定された見舞先患者の現在位置情報を発信機位置記憶部から入手し、表示部に表示させることを特徴とする。
この構成によれば、見舞先の患者が病室に居なくても、患者の現在位置が見舞受付端末に表示されるため、見舞人は見舞先患者の居場所を把握でき、見舞人は安心して患者を見舞うことができる。
【発明の効果】
【００１０】
本発明によれば、病院の玄関或いは病棟の入口に設置された見舞受付端末から見舞信号がベッドサイドモニタに送信されるため、見舞先の患者は間もなく見舞人が来ることを把握でき、患者のプライバシーに配慮できる。また、見舞先の患者に当日検査予約が入っている場合は見舞人がそれを認識でき、病室まで行かなくても患者の在／不在の把握がし易く利便性が良い。
【図面の簡単な説明】
【００１１】
【図１】本発明に係るナースコールシステムの一例を示す構成図である。
【図２】廊下灯のブロック図である。
【図３】制御機のブロック図である。
【図４】ベッドサイドモニタのブロック図である。
【図５】見舞受付端末のブロック図である。
【発明を実施するための形態】
【００１２】
以下、本発明を具体化した実施の形態を、図面を参照して詳細に説明する。図１は本発明に係るナースコールシステムの一例を示す構成図であり、１は患者が看護師を呼び出すためにベッド毎に設置されたナースコール子機、２は患者からの呼び出しを病室前で表示する廊下灯、３はナースコール子機１からの呼び出しを受けて看護師が応答するためにナースステーションに設置されたナースコール親機、４はナースコール子機１とナースコール親機３との間の通信等の機器間の通信を制御する制御機、５はベッド毎に設置されて患者に各種情報を表示するベッドサイドモニタ、６は見舞人が操作する見舞受付端末、７は患者が携行してＩＤ信号を無線発信する発信機である。
【００１３】
廊下灯２、ナースコール親機３、制御機４、見舞受付端末６は、ＬＡＮ配線Ｎにより互いに接続されている。但し、機器間の信号は制御機４が中継して送信される。また、ナースコール子機１は伝送線Ｌ１を介して廊下灯２に接続され、ベッドサイドモニタ５は伝送線Ｌ２を介して廊下灯２に接続されている。
【００１４】
ナースコール子機１は、押下して呼出操作する握り子機１ａと、壁面に取り付けられたプレート子機１ｂとを有し、握り子機１ａはプレート子機１ｂにケーブルで接続されている。プレート子機１ｂは、患者が看護師と通話するための通話機能を備えている。
【００１５】
図２は廊下灯のブロック図を示している。廊下灯２は、患者からの呼出発生を点滅等で報知する表示灯２ａ、患者氏名等を表示する患者情報表示部２ｂ（図１に示す）に加えて、図２に示す様に発信機７が発信する信号を受信する受信部２１、廊下灯２を制御する廊下灯ＣＰＵ２２、ナースコール子機１、制御機４及びベッドサイドモニタ５と通信する廊下灯通信ＩＦ２３等を備えている。廊下灯ＣＰＵ２２は、ナースコール子機１と制御機４との通信を中継すると共に、受信部２１が発信機７が発信するＩＤ信号を受信したら制御機４に通知する。このように、廊下灯２は発信機７の発信信号を受信する受信機でもある。
尚、発信機７は、首に掛ける紐部を有して個々の患者が首に掛けて携行し、各発信機７で異なるＩＤ信号を一定間隔で発信するよう構成され、この信号を近くの廊下灯２の受信部２１が受信する。
【００１６】
ナースコール親機３は、ナースコール子機１からの呼び出しに応答するためのハンドセット３ａ、患者情報の一覧をはじめとする各種情報を表示する大型ディスプレイ３ｂ、呼出元の情報等を表示する小型ディスプレイ３ｃ等を有している。
【００１７】
図３は制御機４のブロック図を示している。図３に示すように制御機４は、患者と病室との関係、患者とナースコール子機１との関係、更にナースコール子機１とベッドサイドモニタ５との関係等を記憶する患者情報記憶部４１、患者の検査予約の日時場所等を記憶する検査予約記憶部４２、発信機７のＩＤ信号とナースコール子機１とを関連付けたＩＤテーブル記憶部４３、受信機の位置である廊下灯２の位置を記憶する受信機位置記憶部４４、発信機７と廊下灯（受信機）２を関連付けて記憶する発信機位置記憶部４５、制御機４を制御する制御機ＣＰＵ４６、各機器と通信する制御機通信ＩＦ４７等を備えている。
制御機ＣＰＵ４６は、発信機７の発信信号を受信した廊下灯２を特定し、その廊下灯２と受信対象の発信機７を関連付けて発信機位置記憶部４５に記憶させる。
【００１８】
図４はベッドサイドモニタ５のブロック図を示している。図４に示すようにベッドサイドモニタ５は、文字情報や映像を表示するＬＣＤから成るモニタ５１、モニタ５１上に設けられて表示の切替や入力操作を行うタッチパネルから成る操作部５２、患者に提供する各種情報を記憶するメモリ５４、ベッドサイドモニタ５を制御するベッドサイドモニタＣＰＵ５５、制御機４と通信するベッドサイドモニタ通信ＩＦ５６等を備えている。
【００１９】
図５は見舞受付端末６のブロック図を示している。図５に示すように見舞受付端末６は、各種情報を表示するＬＣＤから成るモニタ６１、モニタ６１上に設けられて患者氏名を入力或いは患者を選択して見舞先を選択入力するためのタッチパネルから成る操作部６２、見舞受付端末６を制御する見舞受付端末ＣＰＵ６５、制御機４と通信する見舞受付端末通信ＩＦ６６等を備えている。
見舞受付端末ＣＰＵ６５は、操作部６２が操作されて見舞先の患者が特定されると、該当するベッドサイドモニタ５に見舞信号を送信して通知すると共に、検査予約記憶部４２及び発信機位置記憶部４５を参照して、見舞先患者に関する位置情報を取得する。
この見舞受付端末６は、病院の玄関、病棟の入口等の見舞人が必ず通る位置に、且つ病室から一定の距離離れた場所に設置され、訪れた見舞人が患者の病室へ向かう前に操作されるよう設置されている。
【００２０】
このように構成されたナースコールシステムは以下の様に動作する。但し、患者がナースコール子機１を操作して看護師を呼び出し、看護師がその呼び出しに応答する動作は従来と同様であるため説明を省略し、ここでは見舞受付端末６の操作及び動作を中心に説明する。
最初に患者が病室に居る場合を説明する。見舞受付端末６が見舞人により操作されて、最初に見舞先患者の選択入力が行われる。例えば、患者氏名を入力する画面を表示させて氏名を入力すると、見舞受付端末ＣＰＵ６５の制御により、入力された患者の氏名情報を基に、制御機４の患者情報記憶部４１を参照して入力された患者の病室番号が読み取られてモニタ６１に表示される。
尚、見舞先患者の選択入力は、例えば頭文字を入力して関連する患者一覧を表示させて、その中から該当する患者を選択するよう構成しても良い。
【００２１】
この表示に合わせて決定ボタン（図示せず）が表示され、病室番号等を確認した見舞人が表示された決定ボタンをタッチすると、次画面が表示される。次画面は、見舞人自身の情報を入力する画面となる。
例えば、モニタ６１に見舞人（代表者）の氏名入力部と人数入力部が表示され、氏名入力部に代表者１名の氏名が入力され、人数例えば「３名」の入力が成される。
【００２２】
この入力が終了すると、見舞受付端末ＣＰＵ６５の制御により患者に通知するための見舞信号が生成されて、選択入力された患者のベッドサイドモニタ５に送信される。この見舞信号には、入力された見舞人の氏名情報が添付されており、制御機４、廊下灯２を介して選択された患者の元のベッドサイドモニタ５に送信される。
【００２３】
尚、見舞信号の送信に合わせて、見舞受付端末ＣＰＵ６５は、制御機４の検査予約記憶部４２から見舞先患者に関する検査予約を読み取って、所定の条件を満たせばモニタ６１に表示するし、発信機位置記憶部４５から発信機７の場所情報を入手して表示するが、患者は離床せずベッド上に居る場合、入手情報から表示される場所情報は、例えば「自室」となる。
【００２４】
一方、この見舞信号を受信したベッドサイドモニタ５では、ベッドサイドモニタＣＰＵ５５の制御により、モニタ５１に見舞人有りの表示が成され、見舞信号に添付されている氏名情報、人数情報が読み取られてモニタ５１に表示される。
【００２５】
このように、病院の玄関或いは病棟の入口に設置された見舞受付端末６から見舞信号がベッドサイドモニタ５に送信されるため、見舞先の患者は間もなく見舞人が来ることを把握でき、患者のプライバシーに配慮できる。特に見舞受付端末を病院の入口や、病棟の入口等の病室から比較的遠い位置に設置することで、患者に見舞人が来たことを通知してから、見舞人が病室に到着するまで一定の時間を要するため、患者はその準備ができプライバシーに十分配慮できる。
また、モニタ５１に表示された見舞人の氏名情報や人数情報から、患者は準備ができ都合がよい。
加えて、見舞人が自身の氏名情報等を入力することで、患者は誰が見舞に来るのか事前に把握でき安心できるし、見舞人の情報を病院側が得ることで不審者の把握もし易く、病院のセキュリティ向上に役立つ。
【００２６】
次に、患者が検査のため、或いは他の理由で離床状態にある時に見舞人が来た場合を説明する。上述したように、患者が携行している発信機７により、患者がベッドを離れて病室から離れていても制御機４が廊下灯２の単位で位置を把握し、発信機位置記憶部４５に場所情報が記憶されている。また、登録された検査予約情報に従い離床している場合は、検査予約記憶部４２から患者の居場所が把握される。以下、具体的に説明する。
【００２７】
見舞受付端末６での患者の選択入力操作が終了すると、見舞受付端末６から見舞信号が見舞先の患者のベッドサイドモニタ５に送信されるのは上述した通りである。
同時に見舞受付端末ＣＰＵ６５は、見舞先患者に関連付けられている情報を検査予約記憶部４２及び発信機位置記憶部４５から入手し、入手した情報をモニタ６１に表示する。例えば、見舞人が来た日が検査予約のある日の場合は、その検査場所、予約時間帯等がモニタ６１に表示される。但し、当日の予約であっても既に予約時間が過ぎている場合は表示されず、現在以降の予約に関して場所、時間情報が表示される。
【００２８】
また、発信機位置記憶部４５の情報を基に、発信機７が現在関連付けられている廊下灯２の情報から病室番号等がモニタ６１に表示される。
具体的に、発信機位置記憶部４５には、発信機７と廊下灯２が関連付けて記憶されているが、個々の廊下灯２には別途マップ情報が関連付けられており、設置されている病室番号等の情報に加えて、隣接するトイレや向かい側の検査室等の情報がマップ情報として廊下灯２に関連付けて登録されている。そのため、発信機７の位置情報として関連付けられている廊下灯２のマップ情報がモニタ６１に表示される。
この結果、検査予約が入っている場合は、その検査室の情報及び予約時間情報が表示されるし、患者の現在の居場所が廊下灯２の単位で表示される。
【００２９】
このように、見舞先の患者が病室に居なくても、患者の現在位置が見舞受付端末６に表示されるため、見舞人は見舞先患者の居場所を把握でき、見舞人は安心して患者を見舞うことができる。
また、見舞先の患者に当日検査予約が入っている場合は見舞人がそれを認識でき、病室まで行かなくても患者の在／不在の把握がし易く利便性が良い。特に、当日に予約されている検査であっても、現在或いはこれからの検査予約が表示されるため、済んだ内容は表示されず、見舞人は過去の内容を見て間違った判断をするようなことがない。
【００３０】
尚、当日の検査予約の表示は、現在時刻以降の内容に限定しなくとも良く、時刻に関係なく、当日の検査予約があったら、単純にそれを表示しても良い。
また、ちょうど患者が検査予約時間帯にあるときに来た見舞人に対しては、検査場所や予約時間情報を表示するのみで、発信機７に基づく場所情報の表示は無くても良い。
【符号の説明】
【００３１】
１・・ナースコール子機、２・・廊下灯（受信機）、３・・ナースコール親機、４・・制御機、５・・ベッドサイドモニタ、６・・見舞受付端末、２１・・受信部、４１・・患者情報記憶部、４２・・検査予約記憶部、４３・・ＩＤテーブル記憶部、４４・・受信機位置記憶部、４５・・発信機位置記憶部、４６・・制御機ＣＰＵ、５１・・モニタ、６１・・モニタ（表示部）、６２・・操作部（見舞先選択入力部）、６５・・見舞受付端末ＣＰＵ（見舞通知制御部）。
【図１】
2018149077.tif 000003
【図２】
2018149077.tif 000004
【図３】
2018149077.tif 000005
【図４】
2018149077.tif 000006
【図５】
2018149077.tif 000007